(57)【要約】【課題】先行例を改良した簡易な構成により、周囲に彩色鮮やかで幻想的な雰囲気をかもし出すホログラム照明方法を提供すること。【解決手段】ローソク立てのような火炎支持具３２と、この支持具をほぼ中心にして配置され一方側面部３４ａにホログラム模様面を施した中空カバー３４を使用して、ローソク３６に火をつけたとき、その火炎の光がホログラム模様面に照射してその反射模様光が中空カバーの他方側面部３４ｂを介して顕示されるようにする。同様にして、支持具４２と対向した中空カバー４４の一方側面部４４ａの直ぐそばにホログラム模様面を施したスタンド５４、６４又は７４を配置させることによっても達成される。ローソクに代えて他の光源を使用することもできる。【選択図】図１
2005116426.tif 000002
【特許請求の範囲】
【請求項１】
ローソク立てのような火炎支持具と、この支持具をほぼ中心にして配置され一方側面部にホログラム模様面を施した中空カバーを使用して、ローソクに火をつけたとき、その火炎の光がホログラム模様面に照射してその反射模様光が中空カバーの他方側面部を介して顕示されるようにしたことを特徴とする、ホログラム照明方法。
【請求項２】
ローソク立てのような火炎支持具と、この支持具をほぼ中心にして配置された中空カバーと、この中空カバーの一方側面部の直ぐそばに配置されたホログラム模様面を施したスタンドとを使用して、ローソクに火をつけたとき、その火炎の光がホログラム模様面に照射してその反射模様光が中空カバーの他方側面部を介して顕示されるようにしたことを特徴とする、ホログラム照明方法。
支持具と対向したことを特徴とする、請求項１に記載のホログラム照明方法。
【請求項３】
ローソクに代えて他の光源を使用することを特徴とする、請求項１又は２に記載のホログラム照明方法。
【請求項４】
請求項１、２又は３に記載の方法を実施するために使用されることを特徴とする、中空カバー。
【請求項５】
請求項２又は３に記載の方法を実施するために使用されることを特徴とする、スタンド。
【請求項６】
請求項１又は２に記載の方法を実施するために使用される、下端部がアルミホイルのカップで包被され、その底面中央に針孔が設けられていることを特徴とする、ローソク。
【請求項７】
火炎支持具が水溜め部を具備していることを特徴とする、請求項１，２又は３に記載のホログラム照明方法。
【発明の詳細な説明】
【技術分野】
【０００１】
本発明は、主に卓上、例えばレストラン、家庭などの食卓上、ベッド近くの卓上に適用されるホログラム照明方法に関し、詳しくはホログラム模様面の反射光を利用したホログラム照明方法に関する。
【背景技術】
【０００２】
従来例のものは、ローソク、電灯、蛍光灯など光源とこれを支持して囲う外装カバーとからなり、明かりはこのような光源の固有照明光のみに依存していた。従って、他の色彩、例えばほんのりした緑のただよう雰囲気をかもしだすためには、例えば葬儀式場に見られるように、外装カバーに適当な素材を選んで彩色したカラーデザインを施している。
【０００３】
ホログラムを利用したもので、照明具ではなく、観賞用水槽が知られている（例えば、特許文献１参照。）。これは、図５に示すように、水槽容器１０と、この水槽容器１０内に配された光を拡散するホログラム１とホログラム１の両面側に積層されてホログラム１を保護する透明板１８，１８とからなるスクリーン８と、水槽容器の近傍に備えられていてホログラム１に向けて光を照射する光源９とからなっている。
【０００４】
また、先行例として、本発明の共同発明者の１人により、図６に示すように「水容器２０と、この容器のほぼ中央に直立固定されるよう支持された外表面がホログラムフィルム又はシートで表装されたホログラム柱体２２と、水面上に支持されるようにした火炎支持具２６ｓとからなることを特徴とする、ホログラム照明具」に関して特許出願されている（特願２００３−１８１９４８）。
【０００５】
【特許文献１】特開平８−２６６１８６号公報（図１）
【発明の開示】
【発明が解決しようとする課題】
【０００６】
本発明の課題は、先行例を改良した簡易な構成により、周囲に彩色鮮やかで幻想的な雰囲気をかもし出すホログラム照明方法を提供することである。
【課題を解決するための手段】
【０００７】
前記した課題は、ローソク立てのような火炎支持具と、この支持具をほぼ中心にして配置され一方側面部にホログラム模様面を施した中空カバーとを使用して、ローソクに火をつけたとき、その火炎の光がホログラム模様面に照射してその反射模様光が中空カバーの他方側面部を介して顕示されるようにしたことにより、達成される。同様にして、前記支持具と対向した中空カバーの一方側面部の直ぐそばにホログラム模様面を施したスタンドを配置させることによっても達成される。なお、ローソクに代えて他の光源を使用することもできる。
【発明の効果】
【０００８】
本発明では、ローソクに火をつけたとき又は他の光源を用いたとき、その火炎の光が中空カバーの一方側面部に施したホログラム模様面に照射して、その反射模様光が中空カバーの他方側面部を介して赤、緑などの雲を発散ただよわしているように顕示され、少し暗がりの場所などで使用すれば、周囲に彩色豊かで幻想的な雰囲気ないし癒しでもって気分を和らげる。
【発明を実施するための最良の形態】
【０００９】
ローソクのような火炎支持具と、この支持具をほぼ中心にして配置され一方側面部にホログラム模様面を施した中空カバーを使用して、ローソクに火をつけたとき、その火炎の光がホログラム模様面に照射してその反射模様光が中空カバーの他方側面部を介して顕示されるようにする。
【００１０】
光源として棒状のローソクを用いるときには、その下端部がアルミホイルのカップで包被され、その底面中央に針孔が設けられているものが好ましい。ローソクが燃え尽きたときに立て針に残さいがこびりつくので、そのようにならないようこれをカップですくい、そのまま捨てられる。
また、火炎支持具に水溜め部を具備しておき、不用意にローソクが倒れたとき、溜め水により消火することができる。
【実施例１】
【００１１】
図１に示すように、ローソク立てのような火炎支持具３２と、この支持具をほぼ中心にして配置され一方側面部３４ａにホログラム模様面を施した中空カバー３４を使用して、ローソク３６に火をつけたとき、その火炎の光がホログラム模様面に照射してその反射模様光が中空カバー３４の他方側面部３４ｂを介して顕示されるようにする。
【００１２】
この実施例方法において、中空カバー３４は透明のものが好ましい。一方側面部３４ａが透明で他方側面部３４ｂは半透明であってもよい。図示例のものは、底なしの円筒状のものであるが、有底のもので、たとえばガラスコップのようなものでもよい。外形は円、四角、多角形であってもよい。光源を用いるため、中空カバーはガラス、硬質プラスチックなどが好ましい。
【００１３】
一方側面部３４ａに施されるホログラム模様面は、ホログラムフィルム又はシートを貼り着してもよいが、ホログラム色素に透明インキを配合して印刷したものでもよく、他の手段を使ってもよい。
【００１４】
図示例の火炎支持具３２は、中央に立て針３２ｎを、水溜め部として凹溝３２ｗを具備している。火炎支持具の構成はこれに限定されない、また水溜め部がなくてもよい。棒状のローソクの場合、図２に示したローソク３６を使うのが好ましい。このローソクはその下端部にアルミホイルのカップ３６ｃが包被されており、その底面中央にローソクを固定するための針孔３６ｄが設けられている。カップ３６ｃの上端縁はつば状にすのるがよい。なお、このような構成のローソクは本願発明方法にのみ使用可能であるものではないので、一般の例えば、法要などの照明にも使われる。
【実施例２】
【００１５】
図３では、中空カバー４４に水を溜め、その水面上に支持具４２を介してローソク４６を灯している。中空カバー４４の一方側面部４４ａの直ぐそばにホログラム模様を施したスタンド５４が重ねられている。ローソクの火炎が中空カバーの一方側面部４４ａを透過してスタンド５４に施されたホログラム模様に照射して、その反射模様が中空カバーの他方側面部４４ｂ、５４ｂを介して顕示されるようにする。なお、スタンド５４は、図１に例示した水を使わない構成例にも、適用されることは、容易に理解されるだろう。
【００１６】
スタンド５４は、この図示例では円筒形であるが、この形状に限定されない。図４に例示するよう、半円筒形のもの６４、プレート状のもの７４であってもよい。いずれも火炎の対向面にホログラム模様が施されている。いずれも足が付いているが、足がなくても中空カバーと重なるよう引っ掛け部又は接着部を設けてもよい。
【００１７】
本発明に使用される光源として、不規則にゆらめく点で興趣のある反射模様が得られるローソクの火炎が好ましいが、これに限らず、固形又は液体燃料、ペンライトなどでもよ。ペンライトを使った卓上型照明が市販されているが、そのカバーを本発明による中空カバー３４と取り替えれば、又はスタンドを使用すれば、本発明の方法が実施されることになる。
また、ローソクについても棒状に限らず、図３に例示されているように卵型、さらには香料を配合したものでカップに詰めたものでもよい。
【図面の簡単な説明】
【００１８】
【図１】１実施例を示した上端面図と略示的縦断面図。。
【図２】棒状ローソクの正面図と底面図。
【図３】他の実施例を示した斜視図。
【図４】スタンドの他の変形例を示した斜視図。
【図５】公知例の斜視図。
【図６】先行例の斜視図。
【符号の説明】
【００１９】
３２、４２      ローソク支持具          ３４、４４      中空カバー
３４ａ、４４ａ  一方側面部              ３４ｂ、４４ｂ  他方側面部
３６，４６      ローソク                ５４，６４，７４  スタンド
【図１】
2005116426.tif 000003
【図２】
2005116426.tif 000004
【図３】
2005116426.tif 000005
【図４】
2005116426.tif 000006
【図５】
2005116426.tif 000007
【図６】
2005116426.tif 000008
【手続補正書】
【提出日】平成15年10月31日(2003.10.31)
【手続補正１】
【補正対象書類名】特許請求の範囲
【補正対象項目名】全文
【補正方法】変更
【補正の内容】
【特許請求の範囲】
【請求項１】
ローソク立てのような火炎支持具と、この支持具をほぼ中心にして配置され一方側面部にホログラム模様面を施した中空カバーを使用して、ローソクに火をつけたとき、その火炎の光がホログラム模様面に照射してその反射模様光が中空カバーの他方側面部を介して顕示されるようにしたことを特徴とする、ホログラム照明方法。
【請求項２】
ローソク立てのような火炎支持具と、この支持具をほぼ中心にして配置された中空カバーと、この中空カバーの一方側面部の直ぐそばに配置されたホログラム模様面を施したスタンドとを使用して、ローソクに火をつけたとき、その火炎の光がホログラム模様面に照射してその反射模様光が中空カバー又はスタンドの他方側面部を介して顕示されるようにしたことを特徴とする、ホログラム照明方法。
【請求項３】
ローソクに代えて他の光源を使用することを特徴とする、請求項１又は２に記載のホログラム照明方法。
【請求項４】
請求項１、２又は３に記載の方法を実施するために使用されることを特徴とする、中空カバー。
【請求項５】
請求項２又は３に記載の方法を実施するために使用されることを特徴とする、スタンド。
【請求項６】
請求項１又は２に記載の方法を実施するために使用される、下端部がアルミホイルのカップで包被され、その底面中央に針孔が設けられていることを特徴とする、ローソク。
【請求項７】
火炎支持具が水溜め部を具備していることを特徴とする、請求項１，２又は３に記載のホログラム照明方法。
【請求項８】
ローソク立てのような火炎又は他の光源の支持具と、この支持具をほぼ中心にして配置され一方側面部にホログラム模様面を施した中空カバーとからなり、ローソクに火をつけたとき又は他の光源を灯したとき、その光がホログラム模様面に照射してその反射模様光が中空カバーの他方側面部を介して顕示されるようにしたことを特徴とする、ホログラム照明具。
【請求項９】
ローソク立てのような火炎又は他の光源の支持具と、この支持具をほぼ中心にして配置された中空カバーと、この中空カバーの一方側面部の直ぐそばに配置されたホログラム模様面を施したスタンドとからなり、ローソクに火をつけたとき又は他の光源を灯したとき、その光がホログラム模様面に照射してその反射模様光が中空カバー又はスタンドの他方側面部を介して顕示されるようにしたことを特徴とする、ホログラム照明具。
【手続補正２】
【補正対象書類名】明細書
【補正対象項目名】全文
【補正方法】変更
【補正の内容】
【発明の詳細な説明】
【技術分野】
【０００１】
本発明は、主に卓上、例えばレストラン、家庭などの食卓上、ベッド近くの卓上に適用されるホログラム照明方法及び照明具に関し、詳しくはホログラム模様面の反射光を利用したホログラム照明方法に関する。
【背景技術】
【０００２】
従来例のものは、ローソク、電灯、蛍光灯など光源とこれを支持して囲う外装カバーとからなり、明かりはこのような光源の固有照明光のみに依存していた。従って、他の色彩、例えばほんのりした緑のただよう雰囲気をかもしだすためには、例えば葬儀式場に見られるように、外装カバーに適当な素材を選んで彩色したカラーデザインを施している。
【０００３】
ホログラムを利用したもので、照明具ではなく、観賞用水槽が知られている（例えば、特許文献１参照。）。これは、図５に示すように、水槽容器１０と、この水槽容器１０内に配された光を拡散するホログラム１とホログラム１の両面側に積層されてホログラム１を保護する透明板１８，１８とからなるスクリーン８と、水槽容器の近傍に備えられていてホログラム１に向けて光を照射する光源９とからなっている。
【０００４】
また、先行例として、本発明の共同発明者の１人により、図６に示すように「水容器２０と、この容器のほぼ中央に直立固定されるよう支持された外表面にホログラム模様が施されたホログラム柱体２２と、水面上に支持されるようにした火炎支持具２６ｓとからなることを特徴とする、ホログラム照明具」に関して特許出願されている（特願２００３−１８１９４８）。
【０００５】
【特許文献１】特開平８−２６６１８６号公報（図１）
【発明の開示】
【発明が解決しようとする課題】
【０００６】
本発明の課題は、先行例を改良した簡易な構成により、周囲に彩色鮮やかで幻想的な雰囲気をかもし出すホログラム照明方法及び照明具を提供することである。
【課題を解決するための手段】
【０００７】
前記した課題は、ローソク立てのような火炎支持具と、この支持具をほぼ中心にして配置され一方側面部にホログラム模様面を施した中空カバーとを使用して、ローソクに火をつけたとき、その火炎の光がホログラム模様面に照射してその反射模様光が中空カバーの他方側面部を介して顕示されるようにしたことにより、達成される。同様にして、前記支持具と対向した中空カバーの一方側面部の直ぐそばにホログラム模様面を施したスタンドを配置させることによっても達成される。なお、ローソクに代えて他の光源を使用することもできる。
【発明の効果】
【０００８】
本発明では、ローソクに火をつけたとき又は他の光源を用いたとき、その光が中空カバー又はスタンドの一方側面部に施したホログラム模様面に照射して、その反射模様光が中空カバー又はスタンドの他方側面部を介して赤、緑などの雲を発散ただよわしているように顕示され、少し暗がりの場所などで使用すれば、周囲に彩色豊かで幻想的な雰囲気ないし癒しでもって気分を和らげる。
【発明を実施するための最良の形態】
【０００９】
ローソクのような火炎支持具と、この支持具をほぼ中心にして配置され一方側面部にホログラム模様面を施した中空カバーを使用して、ローソクに火をつけたとき、その火炎の光がホログラム模様面に照射してその反射模様光が中空カバーの他方側面部を介して顕示されるようにする。
【００１０】
光源として棒状のローソクを用いるときには、その下端部がアルミホイルのカップで包被され、その底面中央に針孔が設けられているものが好ましい。ローソクが燃え尽きたときに立て針に残さいがこびりつくので、そのようにならないようこれをカップですくい、そのまま捨てられる。
また、火炎支持具に水溜め部を具備しておき、不用意にローソクが倒れたとき、溜め水により消火することができる。
【実施例１】
【００１１】
図１に示すように、ローソク立てのような火炎支持具３２と、この支持具をほぼ中心にして配置され一方側面部３４ａにホログラム模様面を施した中空カバー３４を使用して、ローソク３６に火をつけたとき、その火炎の光がホログラム模様面に照射してその反射模様光が中空カバー３４の他方側面部３４ｂを介して顕示されるようにする。
【００１２】
この実施例方法において、中空カバー３４は透明のものが好ましい。一方側面部３４ａが透明で他方側面部３４ｂは半透明であってもよい。図示例のものは、底なしの円筒状のものであるが、有底のもので、たとえばガラスコップのようなものでもよい。外形は円、四角、多角形であってもよい。光源を用いるため、中空カバーはガラス、硬質プラスチックなど耐熱性の材質が好ましい。
【００１３】
一方側面部３４ａに施されるホログラム模様面は、ホログラムホイル、フィルム又はシートを貼り着してもよいが、ホログラム色素に透明インキを配合して印刷したものでもよく、他の手段を使ってもよい。
【００１４】
図示例の火炎支持具３２は、中央に立て針３２ｎを、水溜め部として凹状周溝３２ｗを具備している。火炎支持具の構成はこれに限定されない、また水溜め部がなくてもよい。棒状のローソクの場合、図２に示したローソク３６を使うのが好ましい。このローソクはその下端部にアルミホイルのカップ３６ｃで包被されており、その底面中央にローソクを固定するための針孔３６ｄが設けられている。カップ３６ｃの上端縁はつば状にするのがよい。なお、このような構成のローソクは本願発明方法にのみ使用可能であるものではないので、一般の例えば、法要などの照明にも使われる。
【実施例２】
【００１５】
図３−１では、中空カバー４４に水を溜め、その水面上にローソク支持具４２を介してローソク４６を灯している。中空カバー４４の一方側面部４４ａの直ぐそばにホログラム模様を施したスタンド５４が重ねられている。ローソクの火炎が中空カバーの一方側面部４４ａを透過して、又は直接に、スタンド５４に施されたホログラム模様に照射して、その反射模様光が中空カバー又はスタンドの他方側面部４４ｂ又は５４ｂを介して顕示されるようにする。なお、スタンド５４は、図１に例示した水を使わない構成例にも、適用されることは、容易に理解されるだろう。
【００１６】
図３−２では、市販されているボーティブキャンドル５６を使ったもので、前記と同様の作用効果が得られる。このようなカップ状になっているローソク５６は有底の少し幅広のカップ容器４４に入れられ、その底部５２がローソク立ての役目をして火炎支持具を構成する。カップ容器４４に重ねられるよう、幅広で高さが大きいホログラム模様を施した中空スタンドが配置されている。図示例ではホログラム模様がスタンド外側面に施されているようにみられるが、内側面でもよい。
【００１７】
図３のスタンド５４は、円筒形とみられるが、この形状に限定されない。図４に例示するよう、半円筒形のもの６４、プレート状のもの７４であってもよい。いずれも火炎の対向面にホログラム模様が施されているが、透明体であれば外側面でもよい。また、いずれも足が付いているが、足がなくても中空カバーと重なるよう引っ掛け部又は接着部を設けてもよい。
【００１８】
本発明に使用される光源として、不規則にゆらめく点で興趣のある反射模様光が得られるローソクの火炎が好ましいが、これに限らず、固形又は液体燃料、ペンライトなどでもよ。ペンライトを使った卓上型照明具が市販されているが、そのカバーを本発明による中空カバー３４と取り替えれば、又は本発明によるスタンドを使用すれば、本発明の方法が実施されることになる。
また、ローソクについても棒状に限らず、図３に例示されているように卵型、さらにはカップに詰められたもの、任意に香料を配合したものも使用される。
【図面の簡単な説明】
【００１９】
【図１】１実施例を示した上端面図と略示的縦断面図。。
【図２】棒状ローソクの正面図と底面図。
【図３−１】ローソクが水面上に支持された他の実施例を示した斜視図。
【図３−２】ローソクがカップ底面上に支持された他の実施例を示した縦断面図。
【図４】スタンドの他の変形例を示した斜視図。
【図５】公知例の斜視図。
【図６】先行例の斜視図。
【符号の説明】
【００２０】
３２、４２        ローソク支持具      ３４、４４        中空カバー
３４ａ、４４ａ    一方側面部          ３４ｂ、４４ｂ    他方側面部
３６，４６、５６  ローソク            ５４，６４，７４  スタンド
【手続補正３】
【補正対象書類名】図面
【補正対象項目名】全図
【補正方法】変更
【補正の内容】
【図１】
2005116426.tif 000009
【図２】
2005116426.tif 000010
【図３−１】
2005116426.tif 000011
【図３−２】
2005116426.tif 000012
【図４】
2005116426.tif 000013
【図５】
2005116426.tif 000014
【図６】
2005116426.tif 000015
【手続補正書】
【提出日】平成16年2月19日(2004.2.19)
【手続補正１】
【補正対象書類名】特許請求の範囲
【補正対象項目名】全文
【補正方法】変更
【補正の内容】
【特許請求の範囲】
【請求項１】
内側面一部にホログラム模様が映るフレームカバーのほぼ中央にローソク、豆電球などの照明灯を配置し、その照明灯の照射により反射したホログラム模様光が対向側で観賞されるようにしたことを特徴とする、ホログラム照明方法。
【請求項２】
ローソク、豆電球などの照明灯をほぼ中央にして、内側面一部にホログラム模様が映るフレームカバーを配置して、その照明灯の照射により反射したホログラム模様光が対向側で観賞されるようにしたことを特徴とする、ホログラム照明方法。
【請求項３】
請求項１又は２に記載の方法を実施するために使用されることを特徴とする、照明灯のフレームカバー。
【請求項４】
少なくとも一方が開口した透明の中空体で、その一方側面部外面又は内面にホログラムフィルムが貼り付けられ又はホログラム印刷されて、その内面にホログラム模様が映っていることを特徴とする、請求項３に記載の照明灯のフレームカバー。
【請求項５】
囲壁の一部で欠落したスタンド状のものであることを特徴とする、請求項３又は４に記載の照明灯のフレームカバー。
【手続補正２】
【補正対象書類名】明細書
【補正対象項目名】全文
【補正方法】変更
【補正の内容】
【発明の詳細な説明】
【技術分野】
【０００１】
本発明は、主に卓上、例えばホテル、レストラン、家庭などの食卓上、ベッド近くの卓上に適用されるホログラム照明方法に関し、詳しくはホログラム模様面の反射光を観賞するようにしたホログラム照明方法に関する。
【背景技術】
【０００２】
従来例として、ローソク、電灯、蛍光灯など照明灯とこれを支持して囲う外装カバー（フレームカバー)とからなる照明器具が知られ、明かりはこのような照明灯の固有照明光のみに依存していた。従って、他の色彩、例えばほんのりした緑のただよう雰囲気をかもしだすためには、例えば葬儀式場に見られるように、外装カバーに適当な素材を選んで彩色したカラーデザインを施している。
【０００３】
ホログラムを利用したもので、照明具ではなく、観賞用水槽が知られている（例えば、特許文献１参照。）。これは、図５に示すように、水槽容器１０と、この水槽容器１０内に配された光を拡散するホログラム１とホログラム１の両面側に積層されてホログラム１を保護する透明板１８，１８とからなるスクリーン８と、水槽容器の近傍に備えられていてホログラム１に向けて光を照射する光源９とからなっている。
【０００４】
また、先行例として、本発明の共同発明者の１人により、図６に示すように「水容器２０と、この容器のほぼ中央に直立固定されるよう支持された外表面にホログラム模様が施されたホログラム柱体２２と、水面上に支持されるようにした火炎支持具２６ｓとからなることを特徴とする、ホログラム照明具」に関して特許出願されている（特願２００３−１８１９４８）。
【０００５】
【特許文献１】特開平８−２６６１８６号公報（図１）
【発明の開示】
【発明が解決しようとする課題】
【０００６】
本発明の課題は、先行例を改良した簡易な構成により、周囲に彩色鮮やかでオーロラのような幻想的な雰囲気をかもし出すホログラム照明方法を提供することである。
【課題を解決するための手段】
【０００７】
前記した課題は、内側面一部にホログラム模様が映るフレームカバーのほぼ中央にローソク、豆電球などの照明灯を配置し、又はローソク、豆電球などの照明灯をほぼ中央にして、内側面一部にホログラム模様が映るフレームカバーを配置して、その照明灯の照射により反射したホログラム模様光を対向側で観賞することにより、達成される。
【発明の効果】
【０００８】
本発明では、ローソクに火をつけたとき又は豆電球など照明灯を用いたとき、その光が中空のフレームカバーの一方側面部内面に映るホログラム模様面に照射して、その反射模様光が対向側に赤、緑などの雲のように発散ただよわしているように観賞され、少し暗がりの場所などで使用すれば、周囲により鮮明で彩色豊かにオーロラのように幻想的な雰囲気ないし癒しでもって気分を和らげる。
【発明を実施するための最良の形態】
【０００９】
一方側面部内面にホログラム模様が映り、開口部を有する透明で中空の円筒状などのフレームカバーを使用して、その内部のほぼ中央にローソク、豆電球など照明灯を配置させ、この光がホログラム模様面に照射して、その反射模様光がその対向側により観賞されるようにする。
【００１０】
照明灯として棒状のローソクを用いるときには、その下端部がアルミホイルのカップで包被され、その底面中央に針孔が設けられているものが好ましい。ローソクが燃え尽きたときに立て針に残さいがこびりつくので、そのようにならないようこれをカップですくい、そのまま捨てられる。
また、ローソクの支持具に水溜め部を具備しておき、不用意にローソクが倒れたとき、溜め水により消火することができる。
【実施例１】
【００１１】
図１に示すように、ローソク立てのような火炎支持具３２と、このローソクをほぼ中心にして配置され一方側面部３４ａにホログラム模様面を施した透明で中空のフレームカバー３４を使用して、ローソク３６に火をつけたとき、その火炎の光がホログラム模様面に照射してその反射模様光が対向側によりフレームカバー３４の他方側面部３４ｂを介して観賞されるようにする。
【００１２】
この実施例方法において、フレームカバー３４は透明のものが好ましい。一方側面部３４ａが透明で他方側面部３４ｂは半透明であってもよい。図示例のものは、底なしの円筒状のものであるが、有底のもので、たとえばガラスコップのようなものでもよい。外形は円、四角、多角形であってもよい。照明灯を用いるため、フレームカバーはガラス、硬質プラスチックなど耐熱性の材質が好ましい。
【００１３】
一方側面部３４ａに施されるホログラム模様面は、ホログラムホイル、フィルム又はシートを貼り着してもよいが、ホログラム色素に透明インキを配合して印刷したものでもよく、他の手段を使ってもよい。ホログラムフィルムは広義に解釈され、ホログラムホイル及びホログラムシートも含む。
【００１４】
図示例の火炎支持具３２は、中央に立て針３２ｎを、水溜め部として凹状周溝３２ｗを具備している。火炎支持具の構成はこれに限定されない、また水溜め部がなくてもよい。棒状のローソクの場合、図２に示したローソク３６を使うのが好ましい。このローソクはその下端部にアルミホイルのカップ３６ｃで包被されており、その底面中央にローソクを固定するための針孔３６ｄが設けられている。カップ３６ｃの上端縁はつば状にするのがよい。なお、このような構成のローソクは本願発明方法にのみ使用可能であるものではないので、一般の例えば、法要などの照明にも使われる。
【実施例２】
【００１５】
ガラスコップなど透明容器の底面にローソクを支持しローソクを灯すようにしたもの、またその容器の中に水を溜めて水面上にローソクを灯すようにした、簡易な照明器具が知られている。本発明によれば、このような透明容器を中間容器として利用できる。
図３−１では、上方が開口した透明の中間容器４４に水を溜め、その水面上にローソク支持具４２を介してローソク４６を灯している。中間容器４４の一方側面部４４ａの直ぐそばに本発明によるホログラム模様を施した円筒状フレームカバー５４が重ねられている。ローソクの火炎が中間容器の一方側面部４４ａを透過して、又は直接に、フレームカバー５４に施されたホログラム模様に照射して、その反射模様光が対向側により中間容器又はフレームカバーの他方側面部４４ｂ又は５４ｂを介して観賞されるようにする。
【００１６】
図３−２では、市販されているボーティブキャンドル５６を使ったもので、前記と同様の作用効果が得られる。このようなカップ状になっているローソク５６は有底の少し幅広の中間容器ないしカップ容器(ホルダー)４４に入れられ、これを内側にして重ね、本発明によるホログラム模様を施したフレームカバー５４が配置されている。図示例ではホログラム模様がフレームカバー外側面に施されているようにみられるが、内側面でもよい。
【００１７】
図３−１，３−２のフレームカバー５４は、円筒形であるが、この形状に限定されない。図４に例示するよう、周壁の一部で欠落したスタンド状の半円筒形のもの６４、プレート７４であってもよい。いずれも火炎の対向面にホログラム模様が施されているが、透明体であれば外側面でもよい。また、いずれも足が付いているが、足がなくても中間容器と重なるよう引っ掛け部又は接着部を設けてもよい。なお、図３−３ではカップ状ローソクを使い、ホログラムフィルムもパターン模様のあるものが使われている。
【００１８】
図３−４では、ほぼ立方体のフレームカバーが図示され、上方を開口部にして２つの隣接した内面と底内面とにホログラム模様が映っており、カップ状ローソクが使われている。底内面にもホログラム模様が映っているので、図３−５のように開口部を横にして、ここより豆電球を挿入して使用でき、この場合にも２つの隣接した内面にホログラム模様が映っており、その対向側で観賞できるので、ローソク、豆電球の両用が可能となる。
なお、図３−４のようにフレームカバーの高さが大きい場合、ローソクなどの挿入窓を手前側面に設けて使い勝手をよくする設計例が提案される。
【００１９】
本発明に使用される照明灯として、不規則にゆらめく点で興趣のある反射模様光を観賞できるローソクの火炎が好ましいが、これに限らず、固形又は液体燃料、豆電球、ペンライト、ＬＥＤなどでもよい。豆電球、ペンライトを使った卓上型照明具が市販されているが、そのカバーを本発明によるフレームカバー３４、５４と取り替えれば、本発明の方法が実施されることになる。
また、ローソクについても棒状に限らず、図３に例示されているように卵型、さらにはカップに詰められたもの、任意に香料を配合したものも使用される。
【００２０】
本発明による、少なくとも一方が開口した透明の中空体で、その一方側面部外面又は内面にホログラムフィルムが貼り付けられ又はホログラム印刷されて、その内面にホログラム模様が映っているフレームカバーは、その内部に照明灯を収容しなくても、室内天井に懸けられた蛍光灯又は電灯により、とくに円周面に施されたホログラムに照らされると、その反射模様として赤と緑とが重なった縦筋状のオーロラのような輝きがその周辺より観賞され、置物ないしインテリアとしても利用される。
【図面の簡単な説明】
【００２１】
【図１】１実施例を示した上端面図と略示的縦断面図。。
【図２】棒状ローソクの正面図と底面図。
【図３−１】ローソクが水面上に支持された中間容器を使った他の実施例が示された斜視図。
【図３−２】カップ状ローソクを使った他の実施例が示された縦断面図。
【図３−３】ホログラムパターン模様を使った実施例が示された斜視図。
【図３−４】立方体のフレームカバーで上方が開口部でローソクを使った実施例が示された斜視図。
【図３−５】立方体のフレームカバーで開口部を横にして豆電球を使った実施例の斜視図。
【図４】フレームカバーの他の変形例を示した斜視図。
【図５】公知例の斜視図。
【図６】先行例の斜視図。
【符号の説明】
【００２２】
３２        ローソク支持具            ３４、５４        フレームカバー
４４        中間容器                  ３６，４６、５６  ローソク
６４，７４  スタンド状フレームカバー
【手続補正３】
【補正対象書類名】図面
【補正対象項目名】図３−３
【補正方法】追加
【補正の内容】
【図３−３】
2005116426.tif 000016
【手続補正４】
【補正対象書類名】図面
【補正対象項目名】図３−４
【補正方法】追加
【補正の内容】
【図３−４】
2005116426.tif 000017
【手続補正５】
【補正対象書類名】図面
【補正対象項目名】図３−５
【補正方法】追加
【補正の内容】
【図３−５】
2005116426.tif 000018
【手続補正書】
【提出日】平成16年3月26日(2004.3.26)
【手続補正２】
【補正対象書類名】手続補正書
【補正対象項目名】手続補正３
【補正方法】変更
【補正の内容】
【手続補正３】
【補正対象書類名】図面
【補正対象項目名】全図
【補正方法】変更
【補正の内容】
【図１】
2005116426.tif 000019
【図２】
2005116426.tif 000020
【図３−１】
2005116426.tif 000021
【図３−２】
2005116426.tif 000022
【図４】
2005116426.tif 000023
【図５】
2005116426.tif 000024
【図６】
2005116426.tif 000025
【図３−３】
2005116426.tif 000026
【図３−４】
2005116426.tif 000027
【図３−５】
2005116426.tif 000028
【手続補正３】
【補正対象書類名】手続補正書
【補正対象項目名】手続補正４
【補正方法】削除
【補正の内容】
【手続補正４】
【補正対象書類名】手続補正書
【補正対象項目名】手続補正５
【補正方法】削除
【補正の内容】
【手続補正書】
【提出日】平成16年10月14日(2004.10.14)
【手続補正１】
【補正対象書類名】特許請求の範囲
【補正対象項目名】全文
【補正方法】変更
【補正の内容】
【特許請求の範囲】
【請求項１】
照明灯を囲うものでその周囲壁部一部の内面にホログラム模様が映るフレームカバーを使用し、その照明灯の照射により反射したホログラム模様光が対向側の透明周囲壁部を介して観賞されるようにしたことを特徴とする、ホログラム照明方法。
【請求項２】
請求項１に記載の方法を実施するために使用されることを特徴とする、照明灯のフレームカバー。
【請求項３】
上下の少なくとも一方が開口し全周囲壁部が透明で、その外側面一部又は内側面一部にホログラムフィルムが貼り付けられ又はホログラム印刷されていることを特徴とする、請求項２に記載の照明灯のフレームカバー。
【請求項４】
請求項１に記載の方法を実施するためにフレームカバーの周囲壁部一部後方に配置されたホログラム模様の付いた反射面シート。
【請求項５】
４つの周側面と１つの底面を有し上方が開口した透明で略立方中空体のフレームカバーにおいて、２つの隣接する周側内面と底内面とにホログラム模様が映っていることを特徴とする、請求項２に記載の照明灯のフレームカバー。
【手続補正２】
【補正対象書類名】明細書
【補正対象項目名】全文
【補正方法】変更
【補正の内容】
【発明の詳細な説明】
【技術分野】
【０００１】
本発明は、主に卓上、例えばホテル、レストラン、家庭などの食卓上、ベッド近くの卓上に適用されるホログラム照明方法に関し、詳しくはホログラム模様面の反射光を観賞するようにしたホログラム照明方法に関する。
【背景技術】
【０００２】
従来例として、ローソク、電灯、蛍光灯など照明灯とこれを支持して囲う外装カバー（フレームカバー)とからなる照明器具が知られ、明かりはこのような照明灯の固有照明光のみに依存していた。従って、他の色彩、例えばほんのりした緑のただよう雰囲気をかもしだすためには、例えば葬儀式場に見られるように、外装カバーに適当な素材を選んで彩色したカラーデザインを施している。
【０００３】
ホログラムを利用したもので、照明具ではなく、観賞用水槽が知られている（例えば、特許文献１参照。）。これは、図５に示すように、水槽容器１０と、この水槽容器１０内に配された光を拡散するホログラム１とホログラム１の両面側に積層されてホログラム１を保護する透明板１８，１８とからなるスクリーン８と、水槽容器の近傍に備えられていてホログラム１に向けて光を照射する光源９とからなっている。
【０００４】
また、先行例として、本発明の共同発明者の１人により、図６に示すように「水容器２０と、この容器のほぼ中央に直立固定されるよう支持された外表面にホログラム模様が施されたホログラム柱体２２と、水面上に支持されるようにした火炎支持具２６ｓとからなることを特徴とする、ホログラム照明具」に関して特許出願されている（特願２００３−１８１９４８）。
【０００５】
【特許文献１】特開平８−２６６１８６号公報（図１）
【発明の開示】
【発明が解決しようとする課題】
【０００６】
本発明の課題は、ホログラム反射模様光を利用して、周囲に彩色鮮やかでオーロラのような幻想的な雰囲気をかもし出すホログラム照明方法を提供することである。
【課題を解決するための手段】
【０００７】
前記した課題は、照明灯を囲うものでその周囲壁部一部の内面にホログラム模様が映るフレームカバーを使用し、その照明灯の照射により反射したホログラム模様光が対向側の透明周囲壁部を介して観賞されるようにしたことで、解決される。
【発明の効果】
【０００８】
本発明では、ローソクに火をつけたとき又は豆電球など照明灯を点灯したとき、その光が中空のフレームカバーの周囲壁部一部の内面に映るホログラム模様面に照射して、その反射模様光が対向側に赤、緑などの雲のように発散ただよわしているように観賞され、少し暗がりの場所などで使用すれば、周囲により鮮明で彩色豊かにオーロラのように幻想的な雰囲気ないし癒しでもって気分を和らげる。
【発明を実施するための最良の形態】
【０００９】
周囲壁部一部の内面にホログラム模様が映り、開口部を有する透明で中空の円筒状などのフレームカバーを使用して、その内部のほぼ中央にローソク、豆電球など照明灯を配置させ、この光がホログラム模様面に照射して、その反射模様光がその対向側により観賞されるようにする。
【００１０】
照明灯として棒状のローソクを用いるときには、その下端部がアルミホイルのカップで包被され、その底面中央に針孔が設けられているものが好ましい。ローソクが燃え尽きたときに立て針に残さいがこびりつくので、そのようにならないようこれをカップですくい、そのまま捨てられる。
また、ローソクの支持具に水溜め部を具備しておき、不用意にローソクが倒れたとき、溜め水により消火することができる。
【実施例１】
【００１１】
図１に示すように、ローソク立てのような火炎支持具３２と、ローソク３６をほぼ中心にして配置され周囲壁部一部３４ａの外面にホログラム模様面を施した透明で中空のフレームカバー３４を使用して、ローソク３６に火をつけたとき、その火炎の光がホログラム模様の映っている内面に照射してその反射模様光が対向側でフレームカバー３４の周囲壁部他方部の透明部３４ｂを介して観賞されるようにする。
【００１２】
この実施例方法において、フレームカバー３４の周囲壁部は透明のものが好ましい。周囲壁部一部３４ａが透明で他方側部３４ｂは半透明であってもよい。また、周囲壁部に網目、パンチ穴などの設けたフレームカバーでもよく、ここで透明とは外部より内部が透視できるものも含む。周囲壁部一部３４ａの内面にホログラム模様面を施す場合にはこの周囲壁部一部は透明である必要はない。図示例のものは、底なしの円筒状のものであるが、有底のもので、たとえばガラスコップ、タンブラーのようなものでもよい。外形は円、四角、多角形であってもよい。照明灯を用いるため、フレームカバーはガラス、硬質プラスチック、金属など耐熱性、難燃性の材質が好ましい。
【００１３】
周囲壁部一部３４ａの外面又は内面に施されるホログラム模様面は、ホログラムホイル、フィルム又はシートを貼り着してもよいが、ホログラム色素に透明インキを配合して印刷できるならば、それでもよく、他の手段を使ってもよい。ホログラムフィルムは広義に解釈され、ホログラムホイル及びホログラムシートも含む。
【００１４】
図示例の火炎支持具３２は、中央に立て針３２ｎを、水溜め部として凹状周溝３２ｗを具備している。火炎支持具の構成はこれに限定されない、また水溜め部がなくてもよい。棒状のローソクの場合、図２に示したローソク３６を使うのが好ましい。このローソクはその下端部にアルミホイルのカップ３６ｃで包被されており、その底面中央にローソクを固定するための針孔３６ｄが設けられている。カップ３６ｃの上端縁はつば状にするのがよい。なお、このような構成のローソクは本願発明方法にのみ使用可能であるものではないので、一般の例えば、法事などの照明にも使われる。
【実施例２】
【００１５】
ガラスコップなど透明容器の底面にローソクを支持しローソクを灯すようにしたもの、またその容器の中に水を溜めて水面上にローソクを灯すようにした、簡易な照明器具が知られている。本発明によれば、このような透明容器を中間容器として利用できる。
図３−１では、上方が開口した透明の中間容器４４に水を溜め、その水面上にローソク支持具４２を介してローソク４６を灯している。中間容器４４の一方側部４４ａの直ぐそばに本発明によるホログラム模様を施した円筒状フレームカバー５４が重ねられている。ローソクの火炎が中間容器の一方側部４４ａを透過して、又は直接に、フレームカバー５４に施されたホログラム模様に照射して、その反射模様光が対向側により中間容器又はフレームカバーの他方側透明部４４ｂ又は５４ｂを介して観賞されるようにする。
【００１６】
図３−２では、市販されているボーティブキャンドル５６を使ったもので、前記と同様の作用効果が得られる。このようなカップ状になっているローソク５６は有底の少し幅広の中間容器ないしカップ容器(ホルダー)４４に入れられ、これを内側にして重ね、本発明によるホログラム模様を施したフレームカバー５４が配置されている。図示例ではホログラム模様がフレームカバー外側面に施されているようにみられるが、内側面でもよい。
【００１７】
図３−１，３−２のフレームカバー５４は、円筒形であるが、この形状に限定されない。図４に例示するよう、周囲壁の一部で欠落したスタンド状の半円筒形のもの６４、プレート７４などホログラム模様の付いた反射面シートを使ってもよい。いずれも火炎の対向面にホログラム模様が施されているが、透明体であればその外側面に施してもよい。また、いずれも足が付いているが、足がなくても、フレームカバーと重なるようこれに引っ掛け部又は接着部を設けてもよい。なお、図３−３ではカップ状ローソク（ティーライト）を使い、ホログラムフィルムもパターン模様のあるものが使われている。
【００１８】
図３−４では、ほぼ立方体のフレームカバーが図示され、上方を開口部にして２つの隣接した内面と底内面とにホログラム模様が映っており、カップ状ローソクが使われている。底内面にもホログラム模様が映っているので、図３−５のように開口部を横にして、ここより豆電球を挿入して使用でき、この場合にも２つの隣接した内面にホログラム模様が映っており、その対向側で観賞できるので、ローソク、豆電球の両用が可能となる。
なお、図３−４のようにフレームカバーの高さが大きい場合、ローソクなどの挿入窓を手前側面に設けて使い勝手をよくする設計例が提案される。
図３−６は市販されている略立方体状フレームカバーに本発明が利用されている例を示しており、隣接する２つの周側部外部に設けた飾り片と透明ガラスとの間にホログラム模様の付いた反射面シートが挟まれており、その内側面にホログラム模様が映っている。またその内部にローソク位置を固定するためのカップ状ローソクの収容穴が設けられている。
【００１９】
本発明に使用される照明灯として、不規則にゆらめく点で興趣のある反射模様光を観賞できるローソクが好ましい。このため前記した挿入窓は空気導入口としても役立つ。ローソクに限らず、固形又は液体燃料、豆電球、ペンライト、ＬＥＤなどでもよい。豆電球、ペンライトを使った卓上型照明具が市販されているが、そのカバーを本発明によるフレームカバーと取り替えれば、本発明の方法が実施されることになる。
また、ローソクについても棒状に限らず、図３−１に例示されているように卵型、さらにはカップに詰められたもの、任意に香料を配合したものも使用される。
【００２０】
本発明による、少なくとも一方が開口した透明の中空体で、その周囲壁部一部の外面又は内面にホログラムフィルムが貼り付けられ又はホログラム印刷されて、その内面にホログラム模様が映っているフレームカバーは、その内部に照明灯を収容しなくても、室内天井に懸けられた蛍光灯又は電灯により、とくに円周面に施されたホログラムに照らされると、その反射模様として赤と緑とが重なった縦筋状のオーロラのような輝きがその周辺より観賞され、置物ないしインテリアとしても利用される。
【図面の簡単な説明】
【００２１】
【図１】１実施例を示した上端面図と略示的縦断面図。
【図２】棒状ローソクの正面図と底面図。
【図３−１】ローソクが水面上に支持された中間容器を使った他の実施例が示された斜視図。
【図３−２】ボーティブキャンドルを使った他の実施例が示された縦断面図。
【図３−３】カップ状ローソクを使いホログラムパターン模様が映っている実施例の斜視図。
【図３−４】立方体のフレームカバーで上方が開口部でローソクを使った実施例の斜視図。
【図３−５】立方体のフレームカバーで開口部を横にして豆電球を使った実施例の斜視図。
【図３−６】市販されているフレームカバーを利用した１実施例の斜視図。
【図４】フレームカバーの周囲壁部一部内面にホログラム模様を映すために使用される反射面シート例を示した斜視図。
【図５】公知例の斜視図。
【図６】先行例の斜視図。
【符号の説明】
【００２２】
３２        ローソク支持具            ３４、５４        フレームカバー
４４        中間容器                  ３６，４６、５６  ローソク
６４，７４  ホログラム模様の付いた反射面シート
【手続補正３】
【補正対象書類名】図面
【補正対象項目名】全図
【補正方法】変更
【補正の内容】
【図１】
2005116426.tif 000029
【図２】
2005116426.tif 000030
【図３−１】
2005116426.tif 000031
【図３−２】
2005116426.tif 000032
【図４】
2005116426.tif 000033
【図５】
2005116426.tif 000034
【図６】
2005116426.tif 000035
【図３−３】
2005116426.tif 000036
【図３−４】
2005116426.tif 000037
【図３−５】
2005116426.tif 000038
【図３−６】
2005116426.tif 000039